(57)【特許請求の範囲】
【請求項１】
前処理部が刈り取った茎稈の株元側を、搬送始端側を支点として上下揺動する扱深さ調整搬送装置と、該扱深さ調整搬送装置の上方に配置される第一補助搬送装置と、該補助搬送装置の外方に配置される第二補助搬送装置とを介して、脱穀部の脱穀フィードチェンまで搬送すると共に、前記第一補助搬送装置側から前記第二補助搬送装置の始端側に向けて引継ぎガイドを延出し、該引継ぎガイドによって茎稈の株元側を前記第二補助搬送装置上に導くコンバインにおいて、前記引継ぎガイドを、上下揺動自在に支持し、前記扱深さ調整搬送装置との接当に応じて上方に退避揺動させると共に、前記引継ぎガイドの先端部が、上方へ揺動するほど内方に移動するように構成するにあたり、前記引継ぎガイドは、上限位置まで退避揺動したとき、先端部が前記第一補助搬送装置に設けられる搬送チェンの爪先端軌跡よりも内側に入り込むことを特徴とするコンバイン。
【請求項２】
前記第一補助搬送装置を左右位置調整自在とし、前記引継ぎガイドを前記前処理部の固定フレームで支持したことを特徴とする請求項１記載のコンバイン。
【発明の詳細な説明】
【技術分野】
【０００１】
本発明は、前処理部が刈り取った茎稈の株元側を、扱深さ調整搬送装置、第一補助搬送装置及び第二補助搬送装置を介して、脱穀部の脱穀フィードチェンまで搬送するコンバインに関し、特に、茎稈の株元側を第二補助搬送装置上に導く引継ぎガイドが設けられたコンバインに関する。
【背景技術】
【０００２】
前処理部が刈り取った茎稈の株元側を、搬送始端側を支点として上下揺動する扱深さ調整搬送装置と、該扱深さ調整搬送装置の上方に配置される第一補助搬送装置と、該第一補助搬送装置の外方に配置される第二補助搬送装置とを介して、脱穀部の脱穀フィードチェンまで搬送するようにしたコンバインが知られている（例えば、特許文献１参照）。この種のコンバインでは、第一補助搬送装置と第二補助搬送装置との間に隙間が空く構成となっており、この隙間に株元が入り込み、脱穀フィードチェンに株元を引き継ぐことができずに、茎稈を落下させる可能性があるため、第一補助搬送装置側から第二補助搬送装置の始端側に向けて引継ぎガイドを延出し、該引継ぎガイドによって茎稈の株元側を第二補助搬送装置上に導くことが好ましい。
【特許文献１】特許第３７１２４８０号公報
【発明の開示】
【発明が解決しようとする課題】
【０００３】
ところで、特許文献１に記載される引継ぎガイドは、上下揺動自在に支持され、扱深さ調整搬送装置との接当に応じて上方に退避揺動するように構成されている。これにより、扱深さ調整搬送装置の上下揺動範囲を可及的に広くし、短稈にも対応することが可能であるが、特許文献１の引継ぎガイドは、左右方向を向く支軸を支点として上下揺動するに過ぎないため、上限位置付近まで揺動させると、茎稈搬送領域内に突出し、茎稈の搬送を阻害する可能性がある。
【０００４】
また、特許文献１に記載される引継ぎガイドは、第一補助搬送装置のケース下部で支持されているので、第一補助搬送装置の左右位置を調整可能なコンバインに適用した場合、第一補助搬送装置の左右位置調整に伴って引継ぎガイド位置が変化し、第二補助搬送装置への引継ぎに支障をきたす可能性がある。
【課題を解決するための手段】
【０００５】
本発明は、上記の如き実情に鑑みこれらの課題を解決することを目的として創作されたものであって、請求項１の発明は、前処理部が刈り取った茎稈の株元側を、搬送始端側を支点として上下揺動する扱深さ調整搬送装置と、該扱深さ調整搬送装置の上方に配置される第一補助搬送装置と、該補助搬送装置の外方に配置される第二補助搬送装置とを介して、脱穀部の脱穀フィードチェンまで搬送すると共に、前記第一補助搬送装置側から前記第二補助搬送装置の始端側に向けて引継ぎガイドを延出し、該引継ぎガイドによって茎稈の株元側を前記第二補助搬送装置上に導くコンバインにおいて、前記引継ぎガイドを、上下揺動自在に支持し、前記扱深さ調整搬送装置との接当に応じて上方に退避揺動させると共に、前記引継ぎガイドの先端部が、上方へ揺動するほど内方に移動するように構成するにあたり、前記引継ぎガイドは、上限位置まで退避揺動したとき、先端部が前記第一補助搬送装置に設けられる搬送チェンの爪先端軌跡よりも内側に入り込むことを特徴とするコンバインである。このようにすると、引継ぎガイドが上限位置付近まで揺動したとき、その先端部が茎稈搬送領域内に突出することを回避できるので、茎稈の搬送が引継ぎガイドによって阻害される不都合がないと共に、上限位置まで退避揺動したとき、引継ぎガイドの先端部を茎稈の搬送領域内から確実に退避させることができる。
請求項２の発明は、前記第一補助搬送装置を左右位置調整自在とし、前記引継ぎガイドを前記前処理部の固定フレームで支持したことを特徴とする請求項１記載のコンバインである。このようにすると、第一補助搬送装置の左右位置を調整しても、第二補助搬送装置と引継ぎガイドの位置関係に変化はないので、第一補助搬送装置の左右位置調整に拘わらず第二補助搬送装置への引継ぎを良好に行うことができる。
【発明を実施するための最良の形態】
【０００６】
次に、本発明の実施形態について、図面に基づいて説明する。図１及び図２において、１はコンバインであって、該コンバイン１は、茎稈を刈り取る前処理部２と、刈り取った茎稈から穀粒を脱穀し、これを選別する脱穀部３と、選別した穀粒を貯留する穀粒タンク４と、脱穀済みの排稈を後処理する後処理部５と、オペレータが乗車する操作部６と、クローラ式の走行部７とを備えて構成されている。
【０００７】
本実施形態の前処理部２は、６条刈り仕様であって、茎稈を刈取条数分に分草するデバイダ８と、茎稈を引起す引起装置９と、茎稈の株元を切断する刈刃１０と、茎稈の株元側を掻込み搬送するスターホイール１１と、茎稈の穂先側を掻込み搬送する掻込み搬送ベルト１２と、掻き込まれた左側２条分の茎稈を合流点に向けて搬送する左側搬送部（図示せず）と、掻き込まれた中央２条分の茎稈を合流点に向けて搬送する中央搬送部（図示せず）と、掻き込まれた右側２条分の茎稈を合流点に向けて搬送する右側搬送部（図示せず）と、合流した茎稈を脱穀部３に設けられる脱穀フィードチェン１３の始端部に向けて搬送する後側搬送部１４とを備えて構成されている。
【０００８】
図３〜図７に示すように、後側搬送部１４は、穂先搬送装置１５と、扱深さ調整搬送装置１６と、第一補助搬送装置１７と、第二補助搬送装置１８とを備えて構成されている。
穂先搬送装置１５は、合流位置から脱穀部３に向けて前低後高状に配置され、合流された茎稈の穂先側を、爪付きチェン１５ａとガイドレール１５ｂとの間で挟持しながら、後上方に向けて搬送する。
【０００９】
扱深さ調整搬送装置１６は、合流された茎稈の株元側を、搬送チェン１６ａと挟持レール１６ｂとの間で挟持しながら、後上方に向けて搬送するものであるが、搬送始端側を支点とする上下揺動により、脱穀部３における茎稈の扱深さ調整を行う。つまり、茎稈の穂先位置を検出し、該穂先位置が一定となるように扱深さ調整搬送装置１６の上下揺動位置を制御することにより、脱穀部３における茎稈の扱深さが一定に保たれる。
【００１０】
第一補助搬送装置１７は、扱深さ調整搬送装置１６の上方で、かつ、穂先搬送装置１５の下方に前低後高状に配置され、茎稈の中間部を、搬送チェン１７ａと挟持レール１７ｂとの間で挟持しながら、後上方に向けて搬送する。そして、第一補助搬送装置１７の搬送範囲を、扱深さ調整搬送装置１６及び脱穀フィードチェン１３の搬送範囲にオーバーラップさせることにより、扱深さ調整搬送装置１６から脱穀フィードチェン１３への茎稈の受け渡しが確実に行われる。
また、本実施形態では、第一補助搬送装置１７の位置を左右方向（図６及び図７に示す矢印Ａ方向）に調整できるようにしている。このようにすると、第一補助搬送装置１７の左右位置を茎稈の稈長に適合させ、様々な茎稈を良好に搬送することが可能になる。
【００１１】
第二補助搬送装置１８は、第一補助搬送装置１７の外方で、かつ、脱穀フィードチェン１３の始端部内方に配置され、茎稈の株元側を、搬送チェン１８ａによって脱穀フィードチェン１３の始端部に向けて搬送する。そして、第二補助搬送装置１８の搬送範囲を、第一補助搬送装置１７及び脱穀フィードチェン１３の搬送範囲にオーバーラップさせることにより、第一補助搬送装置１７から脱穀フィードチェン１３への茎稈の受け渡しが確実に行われる。
【００１２】
第一補助搬送装置１７と第二補助搬送装置１８との間に隙間が空く構成となっており、この隙間に株元が入り込むと、脱穀フィードチェン１３に株元を引き継ぐことができずに、茎稈を落下させる可能性があるので、第一補助搬送装置１７側から第二補助搬送装置１８の始端側に向けて第一引継ぎガイド１９を延出し、該第一引継ぎガイド１９によって茎稈の株元側を第二補助搬送装置１８上に確実に導くようにしている。
【００１３】
また、第一引継ぎガイド１９は、上下揺動自在に支持され、扱深さ調整搬送装置１６との接当に応じて上方に退避揺動するように構成されている。これにより、扱深さ調整搬送装置１６の上下揺動範囲を可及的に広くし、極端な短稈にも対応することが可能になる。本発明に係るコンバイン１では、第一引継ぎガイド１９を、扱深さ調整搬送装置１６との接当に応じて上方に退避揺動させるにあたり、第一引継ぎガイド１９の先端部が、上方へ揺動するほど内方に移動するようにしている。このようにすると、第一引継ぎガイド１９が上限位置付近まで揺動したとき、その先端部が茎稈搬送領域内に突出することを回避できるので、茎稈の搬送が第一引継ぎガイド１９によって阻害される不都合がない。
【００１４】
また、第一引継ぎガイド１９は、上限位置まで退避揺動したとき、先端部が第一補助搬送装置１７に設けられる搬送チェン１７ａの爪先端軌跡よりも内側に入り込むことが好ましい。このようにすると、上限位置まで退避揺動したとき、第一引継ぎガイド１９の先端部を茎稈の搬送領域内から確実に退避させることができる。
また、第一引継ぎガイド１９を上記のように構成する場合、扱深さ調整搬送装置１６の先端部に第二引継ぎガイド２０を設けることが好ましい。この第二引継ぎガイド２０は、扱深さ調整搬送装置１６の延長線方向に突出しており、扱深さ調整搬送装置１６を下げた状態では殆ど機能しないが、扱深さ調整搬送装置１６を上げた状態では、扱深さ調整搬送装置１６の先端部から第二補助搬送装置１８の始端側に延出するので、第一引継ぎガイド１９に代わって、茎稈の株元側を第二補助搬送装置１８上に導くことができる。これにより、扱深さ調整搬送装置１６を上げた状態でも、茎稈の株元が第二補助搬送装置１８の内側に入り込む不都合を確実に回避できる。
【００１５】
また、本実施形態の第一引継ぎガイド１９は、固定フレーム（例えば、穂先搬送装置１５の取付フレーム）に固着される取付部材１９ａと、茎稈をガイドする丸棒等のガイド部材１９ｂと、両者を連結する板バネ等の弾性部材１９ｃとを備えて構成され、弾性部材１９ｃの弾性変形に応じてガイド部材１９ｂを上下揺動させる。そして、弾性部材１９ｃが内向きに傾斜するように第一引継ぎガイド１９を取り付ければ、扱深さ調整搬送装置１６との接当に応じて上方に退避揺動させる際、第一引継ぎガイド１９の先端部が、上方へ揺動するほど内方に移動するようになる。このようにすると、第一引継ぎガイド１９の構造を簡素化できるだけでなく、耐久性も向上させることができる。尚、図面において、１９ｄはガイド部材１９ｂの先端位置を調整するための長孔である。
【００１６】
また、本実施形態では、第一補助搬送装置１７を左右位置調整自在とし、第一引継ぎガイド１９を前処理部２の固定フレームで支持しているので、第一補助搬送装置１７の左右位置を調整しても、第二補助搬送装置１８と第一引継ぎガイド１９の位置関係が変化することを回避できる。これにより、第一補助搬送装置１７の左右位置調整に拘わらず第二補助搬送装置１８への引継ぎを良好に行うことができる。
【００１７】
叙述の如く構成された本実施形態によれば、前処理部２が刈り取った茎稈の株元側を、搬送始端側を支点として上下揺動する扱深さ調整搬送装置１６と、該扱深さ調整搬送装置１６の上方に配置される第一補助搬送装置１７と、該補助搬送装置１７の外方に配置される第二補助搬送装置１８とを介して、脱穀部３の脱穀フィードチェン１３まで搬送すると共に、第一補助搬送装置１７側から第二補助搬送装置１８の始端側に向けて第一引継ぎガイド１９を延出し、該引継ぎガイド１９によって茎稈の株元側を第二補助搬送装置１８上に導くコンバイン１において、第一引継ぎガイド１９を、上下揺動自在に支持し、扱深さ調整搬送装置１６との接当に応じて上方に退避揺動させるにあたり、第一引継ぎガイドの先端部が、上方へ揺動するほど内方に移動するようにしたので、第一引継ぎガイド１９が上限位置付近まで揺動したとき、その先端部が茎稈搬送領域内に突出することを回避でき、その結果、茎稈の搬送が第一引継ぎガイド１９によって阻害される不都合がない。
【００１８】
また、第一引継ぎガイド１９は、上限位置まで退避揺動したとき、先端部が第一補助搬送装置１７に設けられる搬送チェン１７ａの爪先端軌跡よりも内側に入り込むので、上限位置まで退避揺動したとき、第一引継ぎガイド１９の先端部を茎稈の搬送領域内から確実に退避させることができる。
【００１９】
また、第一補助搬送装置１７を左右位置調整自在とし、第一引継ぎガイド１９を前処理部２の固定フレームで支持したので、第一補助搬送装置１７の左右位置を調整しても、第二補助搬送装置１８と第一引継ぎガイド１９の位置関係を維持できる。これにより、第一補助搬送装置１７の左右位置調整に拘わらず第二補助搬送装置１８への引継ぎを良好に行うことができる。
【図面の簡単な説明】
【００２０】
【図１】コンバインの全体側面図である。
【図２】コンバインの全体平面図である。
【図３】コンバインの要部正面図である。
【図４】扱深さ調整搬送装置を下げた状態を示す要部側面図である。
【図５】扱深さ調整搬送装置を上げた状態を示す要部側面図である。
【図６】扱深さ調整搬送装置を下げた状態を示す要部平面図である。
【図７】扱深さ調整搬送装置を上げた状態を示す要部平面図である。
【図８】第一引継ぎガイドの斜視図である。
【符号の説明】
【００２１】
１    コンバイン
２    前処理部
３    脱穀部
１３  脱穀フィードチェン
１４  後側搬送部
１５  穂先搬送装置
１６  扱深さ調整搬送装置
１７  第一補助搬送装置
１８  第二補助搬送装置
１９  第一引継ぎガイド
２０  第二引継ぎガイド
【図１】
0004732928.tif 000002
【図２】
0004732928.tif 000003
【図３】
0004732928.tif 000004
【図４】
0004732928.tif 000005
【図５】
0004732928.tif 000006
【図６】
0004732928.tif 000007
【図７】
0004732928.tif 000008
【図８】
0004732928.tif 000009